(57)【要約】      （修正有）【課題】１枚の紙シートの切り込み等の細工を不要とし、１枚の紙シートを折り込むことにより形成され、紙容器内に液体が存在している場合であっても紙容器外に漏れ出ることがなく、内底面の形状が方形に限定されことなく様々な形状を有することが可能な紙容器を提供する。【解決手段】外縁が凸多角形の形状または凸曲線で囲まれた形状の紙シートに、外縁に沿って偶数個の挿通孔を穿設し、紙シートの中心に紙シートの形状の相似形を内底面とし、その内底面の縁を谷折りして底部および立上り部を形成し、内底面の縁を起点とし隣接する挿通孔の間を通って紙シートの外縁を結ぶ複数の仮想線に沿って谷折りおよび／または山折りして複数のひだ部を立上り部に形成し、挿通孔に紐を挿通させて、立上り部の形状が保持されるように構成した。【選択図】図１
0003109506.tif 000002
【実用新案登録請求の範囲】
【請求項１】
外縁が凸多角形の形状または凸曲線で囲まれた形状の紙シートに、前記外縁に沿って偶数個の挿通孔が穿設され、
前記紙シートの外縁の形状を前記紙シートの中心部に向けて縮小された略相似形を内底面とし、前記内底面の縁を谷折りして底部および立上り部が形成され、
前記内底面の縁を起点とし互いに隣接する前記挿通孔の間を通って前記紙シートの外縁を結ぶ複数の仮想線を谷折りおよび／または山折りして複数のひだ部が前記立上り部に形成され、
前記挿通孔に前記複数のひだ部の数の紐を挿通させてまたは一本の紐を挿通させて、前記複数のひだ部毎にまたは前記複数のひだ部を一括りに前記紐の両端を結束することにより前記立上り部の形状が保持されることを特徴とする紙容器。
【請求項２】
前記挿通孔は前記凸多角形の頂点と対応する前記内底面の頂点を結ぶ前記仮想線である谷折り線を挟んで対称の位置に穿設され、
前記谷折り線を谷折りし、前記内底面の辺の両端から前記紙シートの外縁の対応する辺に対して延伸させた前記仮想線である垂線を山折りして前記ひだ部が形成されることを特徴とする請求項１に記載の紙容器。
【請求項３】
前記凸曲線で囲まれた外縁形状は円形あるいは楕円形であり、
前記挿通孔は略等間隔に穿設され、
前記仮想線は前記紙シートの中心から放射状に延伸して前記内底面の縁を起点とし隣接する前記挿通孔の間を通って前記紙シートの外縁を終点とする前記挿通孔の数と同数の線であり、
前記仮想線に沿って順に谷折り山折りを繰り返してひだ部が形成されることを特徴とする請求項１に記載の紙容器。
【考案の詳細な説明】
【技術分野】
【０００１】
本考案は、糊着や嵌着などの固着手段を使わずに１枚の紙シートを折って形成される紙容器に関する。
【背景技術】
【０００２】
１枚の紙シートを折って形成される紙容器として従来から知られているものには、たとえば図４に示すものがある。図４に示される紙容器１００は、図４（ａ）に示すように、方形の内底面１０１とその上下左右に方形の周壁１０２、１０３、１０４および１０５が連接されていて、周壁１０２および周壁１０３の左右には糊代部１０２ａ、１０２ｂおよび糊代部１０３ａ、１０３ｂが連接されていて、内底面１０１の上下左右に連接される周壁１０２、１０３、１０４および１０５を内底面１０１の上下左右の辺に沿って直角に谷折りし、さらに糊代部１０２ａ、１０２ｂ、１０３ａおよび１０３ｂを谷折りして、糊代部１０２ａ、１０２ｂ、１０３ａおよび１０３ｂが当接する周壁１０４および１０５に糊代部１０２ａ、１０２ｂ、１０３ａおよび１０３ｂを糊着あるいはホッチキス等で止着して形成される。
【０００３】
このように従来から知られている紙容器は、１枚の厚紙のシートの容器の内底面および４つの周壁となる部分を展開した形状として打ち抜き、夫々の面を折り曲げて、各面の接合部を糊着あるいはホッチキス等で止着して、立体的に組み立てている。この種の紙容器は、各面の接合部を糊着あるいはホッチキス等で止着するのが一般的であるが、このような紙容器はその接合部の止着手段から水密性が期待できず、紙容器内に液体が存在している場合には紙容器外に漏れ出てしまうことがある。そのため、紙容器であってもある程度の水密性が要求されることがある。
【０００４】
このような水密性を確保することができる紙容器の発明が、特開２００３−８１２５１号公報に開示されている。図５に示すものは、この発明に開示された技術であり、この技術の概要を図５を基に説明する。紙容器２００は、シートの底面２０１を中心とする各周壁２０２の隅角部２０３に、蛇腹状折り線２０４、２０５を設けて形成されたものである。その結果、これらの蛇腹状折り線の伸縮により底面２０１と各周壁２０２とを箱として折り畳んだり、開口部２０６を開いた鉢形容器として利用でき、通常の紙容器および内部に液体を貯留する容器としても使えるという効果を奏するものである。なお、吊り紐２０７は手提げ用として使用される。
【特許文献１】特開２００３−８１２５１号公報
【考案の開示】
【考案が解決しようとする課題】
【０００５】
しかしながら、従来から使用されている紙容器は、特開２００３−８１２５１号公報にも指摘されるように、紙容器内に液体が存在している場合には、その液体が紙容器外に漏れ出てしまうことがある。また、特開２００３−８１２５１号公報に開示されている紙容器は、内部に液体を貯留する容器としても使えるとしているが、内部の液体がある程度の高さになると、その液体圧に耐えることができず、隅角部に形成された蛇腹状折り線が広がって内部の液体が漏れでてしまう可能性がある。さらに、この紙容器は、内底面の形状が方形に限定されている。
【０００６】
そこで、本願考案は、１枚の紙シートの切り込み等の細工を不要とし、１枚の紙シートを折り込むことにより形成され、紙容器内に液体が存在している場合であっても紙容器外に漏れ出ることがなく、かつ、内底面の形状が方形に限定されことなく様々な形状を有することが可能な紙容器を提供することを目的とする。
【課題を解決するための手段】
【０００７】
上記課題を解決するために、請求項１に係る紙容器は、外縁が凸多角形の形状または凸曲線で囲まれた形状の紙シートに、前記外縁に沿って偶数個の挿通孔が穿設され、前記紙シートの外縁の形状を前記紙シートの中心部に向けて縮小された略相似形を内底面とし、前記内底面の縁を谷折りして底部および立上り部が形成され、前記内底面の縁を起点とし互いに隣接する前記挿通孔の間を通って前記紙シートの外縁を結ぶ複数の仮想線を谷折りおよび／または山折りして複数のひだ部が前記立上り部に形成され、前記挿通孔に前記複数のひだ部の数の紐を挿通させてまたは一本の紐を挿通させて、前記複数のひだ部毎にまたは前記複数のひだ部を一括りに前記紐の両端を結束することにより前記立上り部の形状が保持されることを特徴としている。
また、請求項２に係る紙容器は、請求項１に記載の紙容器であって、前記挿通孔は前記凸多角形の頂点と対応する前記内底面の頂点を結ぶ前記仮想線である谷折り線を挟んで対称の位置に穿設され、前記谷折り線を谷折りし、前記内底面の辺の両端から前記紙シートの外縁の対応する辺に対して延伸させた前記仮想線である垂線を山折りして前記ひだ部が形成されることを特徴としている。
そして、請求項３に係る紙容器は、請求項１に記載の紙容器であって、前記凸曲線で囲まれた外縁形状は円形あるいは楕円形であり、前記挿通孔は略等間隔に穿設され、前記仮想線は前記紙シートの中心から放射状に延伸して前記内底面の縁を起点とし隣接する前記挿通孔の間を通って前記紙シートの外縁を終点とする前記挿通孔の数と同数の線であり、前記仮想線に沿って順に谷折り山折りを繰り返してひだ部が形成されることを特徴としている。
【考案の効果】
【０００８】
請求項１に記載の紙容器は、外縁が凸多角形の形状または凸曲線で囲まれた形状の１枚のシートから形成される。ここで、凸多角形の形状とは、すべての内角が１８０°未満の多角形の形状をいい、正多角形の形状であることを要しない。また、凸曲線で囲まれた形状とは、曲線上の任意の点における接線が、紙シート内を横切ることのない曲線で囲まれた形状をいい、円形や楕円形のみならず、一部に直線を含むたとえば小判形状であってもよい。
【０００９】
請求項１に記載の紙容器は、紙シートの外縁の形状を紙シートの中心部に向けて縮小された略相似形を内底面として底部が形成されるため、底部の形状は方形に限られることなくあらゆる形状とすることができる。さらに、紙シートの外縁の形状を紙シートの中心部に向けて縮小された略相似形を内底面とし、この内底面の縁を谷折りして立上り部が形成されるため、この紙シートの外縁と内底面の縁との距離はすべての箇所で略同一でありこの距離が立上り部の高さになる。このため、縮小された略相似形の縮小率を変えることにより任意の立上り高さを有する紙容器を得ることができる。
【００１０】
また、立上り部に形成されたひだ部に紐を通して形状を保持するため、たとえば内部に液体を蓄えた場合であっても、ひだ部が補強リブとして働くことから液体圧による紙容器の形状に変化することがなく、かつ、紙容器は１枚のシートを切り込みを入れずに折り込むことのよって形成されるので、液体は容器外に漏れ出ることがない。さらに、ひだ部毎に紐で結束した場合には、ひだ部の形状は確固として保持されるため、ひだ部の補強リブとしての機能も強化され、紙容器の形状が変化することはまったくなくなる。ここで、ひだ部毎に紐で結束するか、複数のひだ部を一括りに一本の紐で結束するかは、紙シートの厚さ、紙容器の大きさ、紙容器の用途などから決められるものであり、美観と主とした場合や、経済性を考慮した場合には、後者の方法による。
【００１１】
そして、挿通孔に挿通される紐を緩やかに結束するか、絞って結束するかによって、立上り部の上端縁が形成する紙容器の開口部の大きさを様々に変えることができ、この開口部の大きさを内底面の形状と略同一とした場合には、立上り部は内底面に対して略直角に立ち上がり、紙容器としての剛性も高くなる。
【００１２】
請求項２に記載の紙容器は、紙シートの外縁が多角形であるが、その頂点は３個ないし８個であることが好ましく、より好ましくは３個ないし６個である。頂点が７個以上だと紙シートの外縁は円形に近くなり、請求項３に記載の紙容器とするほうが紙容器の製作も容易であり経済的でもある。頂点を３個ないし６個とした場合、当然、内底面も３角形ないし６角形を呈することになる。この多角形は正多角形である必要はないが、正３角形ないし正６角形としたときには、内底面が安定した形状となり、紙容器をテーブルなどに置いた場合には、倒れにくい安定性に優れた容器になる。また、紙シート自体に色の付いたものや模様を施したものを使用し、紐自体も洒落たテープなどを使用することにより、美観に優れた紙容器が形成される。
【００１３】
請求項３に記載の紙容器は、外縁形状は円形あるいは楕円形であり、紙シートの中心部から放射状に延伸する線に沿って谷折り山折りを繰り返してひだ部が形成されているため、このひだ部の数を多くすることにより、紙容器の立上り部は蛇腹状の模様となって、この形状自体が美観に優れた紙容器となるとともに紙容器としての剛性も高くなる。さらに、前述のように、紙シート自体に色の付いたものや模様を施したものを使用し、紐自体も洒落たテープなどを使用することにより、この美観はより優れたものとなる。
【００１４】
前述のように、紙シートの外縁が多角形の場合において、その多角形の頂点が略７個以上だと紙シートの外縁は円形に近くなり、請求項３に記載の紙容器と同様に形成することもできる。この場合には、紙シートの外縁である多角形の頂点と対応する内底面の頂点を結ぶ線を谷折り線とし、その中間に位置する紙シートの中心から紙シートの外縁である多角形の辺に対する垂線を山折り線としてひだ部が形成される。したがって、多角形をn角形とした場合には、ひだ部の数はｎ個、挿通孔は２ｎ個となる。
【考案を実施するための最良の形態】
【００１５】
本考案を実施するための最良の形態に係る実施例１および実施例２について、図１ないし図４に基づいて説明する。ここで、図１は実施例１に係る紙容器の全体図であり、図１（ａ）は紙容器の展開図、図１（ｂ）は組立後の紙容器の斜視図であり、図２は実施例１に係る紙容器の応用例に係る展開図である。また、図３は実施例２に係る紙容器の全体図であり、図３（ａ）は紙容器の展開図、図３（ｂ）は組立後の紙容器の斜視図である。
【００１６】
まず、実施例１について、図１および図２を基に説明する。
図１および図２において、符号１は実施例１に係る紙容器、符号１２および符号１４は実施例１に係る紙容器の応用例、符号３０は紙シート、符号３２は紙シート外縁、符号３４は内底面、符号３６は底部、符号３８は立上り部、符号４０は隅部、符号４２は内底面谷折り線、符号４４は隅角部谷折り線、符号４６は隅角部山折り線、符号５２は挿通孔、符号５４はひだ部、符号５６は結束紐である。なお、図中、点線は谷折り線を示し、１点鎖線は山折り線を示している。
【００１７】
紙シート３０は正方形のシートであり、内底面３４は紙シート外縁３２の形状を紙シート３０の中心部に向けて縮小された相似形であって正方形となっているが、内底面３４は長方形であっても良いことは勿論である。内底面３４の縁は内底面谷折り線４２となり、内底面３４の頂点とこの頂点に対応する紙シート外縁３２の頂点とを結ぶ仮想線は隅角部谷折り線４４となり、内底面３４の辺の両端から対応する紙シート外縁３２の辺に垂直に延伸させた仮想線は隅角部山折り線４６、４６となっている。そして、挿通孔４８、４８は、隅角部谷折り線４４を挟んで対称の位置にあって、かつ、隅角部山折り線４６、４６に近接して穿設されている。
【００１８】
紙容器１は、底部３６と、周壁である４つの立上り部３８と、４つのひだ部５４と、４本の結束紐５６とから構成されている。
内底面谷折り線４２を谷折りすることにより底部３６が形成され、紙シート３０の隅部４０に位置する隅角部谷折り線４４および隅角部山折り線４６、４６をそれぞれ谷折り山折りすることにより４つの立上り部３８と、４つのひだ部５４が形成される。そして、４つのひだ部５４のそれぞれの挿通孔５２、５２に結束紐５６を挿通させてひだ部５４の上部で結束する。この場合、挿通孔５２、５２は隅角部山折り線４６、４６に近接して穿設されているため、結束紐５６をひだ部５４の上部で結束した場合には、４つの立上り部３８の上端縁で形成される開口部は確りとした形状を保持することになる。このようにして紙容器１が形成される。
【００１９】
紙容器１は上述のように１枚の紙シート３０を折り込むことにより形成されており、紙シート３０に耐水性の紙を使用することで液体を収納することも可能となる。液体圧が高くなり立上り部３８に作用する力が大きくなるような場合や、紙容器１の剛性を高める必要がある場合には、紙シート３０の外縁を外縁に沿って折り曲げて、立上り部３８の上端縁の剛性を高くしたり、あるいは、内底面３４の形状を５角形や６角形とすることで対処することが可能である。
【００２０】
図２は紙容器１の応用例を示していて、図２（ａ）は内底面３４の形状を正３角形とした場合の紙容器１２の展開図であり、図２（ｂ）は内底面３４の形状を正６角形とした場合の紙容器１４の展開図である。この場合であっても、紙容器１で説明した組立方法に倣って、内底面谷折り線４２を谷折りし、隅角部谷折り線４４および隅角部山折り線４６、４６をそれぞれ谷折り山折りし、ひだ部５４の挿通孔５２に結束紐５６を挿通させてひだ部５４の上部で結束することにより、紙容器１２および紙容器１４を組み立てることができる。
【００２１】
つぎに、実施例２について、図３を基に説明する。
図３において、符号２は実施例２に係る紙容器、符号３０は紙シート、符号３２は紙シート外縁、符号３４は内底面、符号３６は底部、符号３８は立上り部、符号４２は内底面谷折り線、符号４８は立上り部谷折り線、符号５０は立上り部山折り線、符号５２は挿通孔、符号５４はひだ部、符号５６は結束紐である。なお、図１および図２と同様、点線は谷折り線を示し、１点鎖線は山折り線を示している。
【００２２】
紙シート３０は円形のシートであり、内底面３４も円形である。挿通孔５２は紙シート外縁３２の近傍に略等間隔に穿設されていて、実施例２における挿通孔５２の数は２４個である。内底面３４の外縁は内底面谷折り線４２となり、内底面３４の中心、すなわち紙シート３０の中心から放射状に延伸して、内底面３４の外縁を起点とし隣接する挿通孔５２、５２の間を通って紙シート外縁３２を終点とする挿通孔５２と同数の２４本の仮想線が引かれ、この仮想線は、交互に立上り部谷折り線４８および立上り部山折り線５０となる。
【００２３】
紙容器２は、底部３６と、周壁である蛇腹状の立上り部３８と、１２個のひだ部５４と、結束紐５６とから構成されている。
内底面谷折り線４２を谷折りすることにより円形の底部３６が形成され、交互に形成されている立上り部谷折り線４８および立上り部山折り線５０に沿って、谷折り山折りを繰り返すことにより１２個のひだ部５４が形成されて、立上り部３８は蛇腹状となる。そして、１本の結束紐５６を挿通孔５２、５２、・・・に順に挿通させ、結束紐５６の両端を結束することにより、立上り部３８の上端縁が形成する開口部の形状が確りと保持される。このようにして紙容器２が形成される。
【００２４】
紙容器２も紙容器１と同様に１枚の紙シート３０を折り込むことにより形成されており、紙シート３０に耐水性の紙を使用することで液体を収納することも可能となる。また、結束紐５６を緩めることにより立上り部３８の上端縁が形成する開口部の形状を大きくすることができ、結束紐５６を絞ることにより立上り部３８の上端縁が形成する開口部の形状を小さくすることができる。そして、結束紐５６を目一杯絞り込めば、立上り部３８は上方に向かって絞り込まれたようになり、立上り部３８の上端縁はいわば蓋状になって、紙容器２の収納物が外からは見えなくなる、という効果が得られる。
【図面の簡単な説明】
【００２５】
【図１】図１は、実施例１に係る紙容器の全体図であり、図１（ａ）は、紙容器の展開図、図１（ｂ）は、組立後の紙容器の斜視図である。
【図２】図２は、実施例１に係る紙容器の応用例に係る展開図である。
【図３】図３は、実施例２に係る紙容器の全体図であり、図３（ａ）は、紙容器の展開図、図３（ｂ）は、組立後の紙容器の斜視図である。
【図４】図４は、従来から使用されている紙容器の例であり、図４（ａ）は、紙容器の展開図、図４（ｂ）は、組立後の紙容器の斜視図である。
【図５】図５は、特開２００３−８１２５１号公報に開示された紙容器の全体図である。
【符号の説明】
【００２６】
１  実施例１に係る紙容器
２  実施例２に係る紙容器
１２  実施例１に係る紙容器の応用例
１４  実施例１に係る紙容器の応用例
３０  紙シート
３４  内底面
３８  立上り部
５２  挿通孔
５４  ひだ部
５６  結束紐
【図１】
0003109506.tif 000003
【図２】
0003109506.tif 000004
【図３】
0003109506.tif 000005
【図４】
0003109506.tif 000006
【図５】
0003109506.tif 000007